(57)【特許請求の範囲】
【請求項１】
無線信号を受信する受信手段と、
前記無線信号に含まれる相手先情報を抽出する抽出手段と、
前記相手先情報に基づいて、自動着信応答を行うか否かを判断する判断手段と、前記判断手段において自動着信応答を行うと判断された場合には、自動着信応答を行う前に、所定時間着信報知を行い、前記所定時間内に着信応答がない場合に、前記相手先情報に対して自動着信応答を行う応答手段と、
前記判断手段において自動着信応答を行わないと判断された場合には、着信を報知する第１の報知手段と、
前記自動着信応答を行う前に、前記所定時間着信報知を行う第２の報知手段とを有し、
前記第１の報知手段と、前記第２の報知手段とは、報知手段または報知形態が異なることを特徴とする通信装置。
【請求項２】
前記相手先情報と、自動着信応答を行うか否かを示す応答情報とを、それぞれ対応させて記憶する記憶手段と、
前記抽出手段において抽出された相手先情報と、前記記憶手段に記憶された相手先情報とを比較する比較手段とを有し、
前記判断手段は、前記記憶手段に記憶された相手先情報のうち、前記抽出手段において抽出された相手先情報と一致する相手先情報に対応して記憶された応答情報に基づいて判断することを特徴とする請求項１記載の通信装置。
【請求項３】
前記応答手段は、前記所定時間内に着信応答がない場合に、前記相手先情報に対して応答メッセージを送出する手段であることを特徴とする請求項１記載の通信装置。
【請求項４】
前記応答情報は、フラグであることを特徴とする請求項２記載の通信装置。
【請求項５】
複数の相手先情報をインデックスにグループ分けして格納する格納手段と、
無線信号を受信する受信手段と、
前記無線信号に含まれる相手先情報を抽出する抽出手段と、
前記相手先情報の属するインデックスに基づいて、自動着信応答を行うか否かを判断する判断手段と、
前記判断手段において自動着信応答を行うと判断された場合には、自動着信応答を行う前に、所定時間着信報知を行い、前記所定時間内に着信応答がない場合に、前記相手先情報に対して自動着信応答を行う応答手段と、
前記判断手段において自動着信応答を行わないと判断された場合には、着信を報知する報知手段とを有し、
前記自動着信応答を行う前に所定時間行う着信報知と自動着信応答を行わないと判断された場合の着信報知の報知形態が異なることを特徴とする通信装置。
【請求項６】
受信した無線信号に含まれる相手先情報を抽出し、前記相手先情報に基づいて自動着信応答を行うか否かを判断し、自動着信応答を行うと判断された場合には、自動着信応答を行う前に、所定時間着信報知を行い、前記所定時間内に着信応答がない場合に、前記相手先情報に対して自動着信応答を行う一方、自動着信応答を行わないと判断された場合には、前記自動着信応答を行う前に所定時間行う着信報知と異なる報知形態で着信を報知することを特徴とする通信装置。
【請求項７】
複数の相手先情報を予め格納するステップと、
無線信号を受信したか否かを判断するステップと、
前記無線信号に相手先情報が含まれているか否かを判断するステップと、
前記無線信号に含まれる相手先情報に基づいて、自動着信応答を行うか否かを判断するステップと、
前記自動着信応答判断ステップにおいて、自動着信応答を行うと判断された場合には、自動着信応答を行う前に、所定時間着信報知を行い、前記所定時間内に着信応答がない場合に、前記相手先情報に対して自動着信応答を行うステップと、前記自動着信応答判断ステップにおいて、自動着信応答を行わないと判断された場合には、着信を報知するステップとを有し、
前記自動着信応答を行う前に所定時間行う着信報知と自動着信応答を行わないと判断された場合の着信報知の報知形態が異なることを特徴とする通信装置の自動応答制御方法。
【発明の詳細な説明】
【０００１】
【発明の属する技術分野】
本発明は通信装置に関し、特に着信に対して自動的に応答メッセージを送信する自動着信応答機能を有する通信装置に関する。
【０００２】
【従来の技術】
近年、通信装置、例えば携帯電話機では、使用者が自動着信応答機能を予め設定しておくことによって、着信に対して自動的に応答メッセージを送信することができる。この応答メッセージに対する発呼者の伝言メッセージを自機内もしくは基地局内のメモリに記憶させておくことによって、使用者は後で発呼者のメッセージを聞くことができる。
【０００３】
この応答メッセージは、通常どの発呼者に対しても同一内容のメッセージが送信されるため、特定の発呼者だけに特定のメッセージを送信することはできない。
【０００４】
そこで、特開平３−１５９４５１号公報、特開平９−２３３１９６号公報および特開平１０−２１５３０９号公報に記載された電話機では、予め自機内のメモリに電話番号と、応答メッセージとをそれぞれ対応させて記憶しておき、使用者によって自動着信応答機能が設定されている状態で着信があった場合には、着信時に受信した電話番号と、メモリに記憶された電話番号とを比較し、一致した場合にその電話番号と対になってメモリに記憶されている応答メッセージが送出される。また、着信時に受信した電話番号と、メモリに記憶された電話番号とが一致しない場合には、予め定められたデフォルトの応答メッセージが送出される。
【０００５】
【発明が解決しようとする課題】
しかしながら、上述した電話機では、使用者が予め自動着信応答機能を設定すると、全ての着信に対して自動着信応答して応答メッセージを送出してしまうため、特定の発呼者、例えば病院からの緊急を要する着信に対しても自動応答してしまうという問題がある。
【０００６】
また、使用者が予め自動着信応答機能を設定していない場合には、全ての着信に対して着信報知が行われるため、通話を望まない発呼者からの着信に対しても着呼ボタンを押下して通話を行わなければならないという問題がある。例えば、休日等のプライベートな時間に友達や家族からの着信に応答する一方、仕事の連絡のような会社等からの着信に対しても応答しなければならない。
【０００７】
近年の電話機では、発呼者の電話番号が自機の表示部に表示されるため、その表示を見て着信応答するか否かを使用者がその都度判断することも考えられるが、表示された電話番号を見て即座に誰からの着呼であるのかを判別することは難しく、また着信応答しない場合には発呼者が回線断するまで着信報知、例えば着信音が出力されるため、周囲への迷惑になる。
【０００８】
本発明の目的は、上記問題点に鑑み、発呼者に応じて自動着信応答を行うか否かを判断し、所望の発呼者からの着信に対しては着信報知を行い、希望しない発呼者からの着信に対しては自動着信応答を行う通信装置を提供することにある。
【０００９】
【課題を解決するための手段】
上記目的を達成するために、本発明の通信装置は、無線信号を受信する受信手段と、前記無線信号に含まれる相手先情報を抽出する抽出手段と、前記相手先情報に基づいて、自動着信応答を行うか否かを判断する判断手段と、前記判断手段において自動着信応答を行うと判断された場合には、自動着信応答を行う前に、所定時間着信報知を行い、前記所定時間内に着信応答がない場合に、前記相手先情報に対して自動着信応答を行う応答手段と、前記判断手段において自動着信応答を行わないと判断された場合には、着信を報知する第１の報知手段とを有することを特徴とする。前記相手先情報と、自動着信応答を行うか否かを示す応答情報とを、それぞれ対応させて記憶する記憶手段と、前記抽出手段において抽出された相手先情報と、前記記憶手段に記憶された相手先情報とを比較する比較手段とを有し、前記判断手段は、前記記憶手段に記憶された相手先情報のうち、前記抽出手段において抽出された相手先情報と一致する相手先情報に対応して記憶された応答情報に基づいて判断することが好ましい。前記応答手段は、前記相手先情報に対して応答メッセージを送出する手段であることが好ましい。前記応答情報は、フラグであることが好ましい。本発明ではさらに前記自動着信応答を行う前に、所定時間着信報知を行う第２の報知手段を有し、前記第１の報知手段と、前記第２の報知手段とは、報知手段または報知形態が異なる。
【００１０】
また、本発明の通信装置は、複数の相手先情報をインデックスにグループ分けして格納する格納手段と、無線信号を受信する受信手段と、前記無線信号に含まれる相手先情報を抽出する抽出手段と、前記相手先情報の属するインデックスに基づいて、自動着信応答を行うか否かを判断する判断手段と、前記判断手段において自動着信応答を行うと判断された場合には、自動着信応答を行う前に、所定時間着信報知を行い、前記所定時間内に着信応答がない場合に、前記相手先情報に対して自動着信応答を行う応答手段と、前記判断手段において自動着信応答を行わないと判断された場合には、着信を報知する第１の報知手段とを有することを特徴とする。さらに、本発明では、前記自動着信応答を行う前に所定時間行う着信報知と自動着信応答を行わないと判断された場合の着信報知の報知形態が異なることを特徴とする。
【００１１】
さらに、本発明の通信装置は、受信した無線信号に含まれる相手先情報を抽出し、前記相手先情報に基づいて自動着信応答を行うか否かを判断し、自動着信応答を行うと判断された場合には、自動着信応答を行う前に、所定時間着信報知を行い、前記所定時間内に着信応答がない場合に、前記相手先情報に対して自動着信応答を行う一方、自動着信応答を行わないと判断された場合には、着信を報知することを特徴とする。さらに、本発明では、前記自動着信応答を行う前に所定時間行う着信報知と自動着信応答を行わないと判断された場合の着信報知の報知形態が異なることを特徴とする。
【００１３】
本発明の通信装置の自動応答制御方法は、複数の相手先情報を予め格納するステップと、無線信号を受信したか否かを判断するステップと、前記無線信号に相手先情報が含まれているか否かを判断するステップと、前記無線信号に含まれる相手先情報に基づいて、自動着信応答を行うか否かを判断するステップと、前記自動着信応答判断ステップにおいて、自動着信応答を行うと判断された場合には、自動着信応答を行う前に、所定時間着信報知を行い、前記所定時間内に着信応答がない場合に、前記相手先情報に対して自動着信応答を行うステップと、前記自動着信応答判断ステップにおいて、自動着信応答を行わないと判断された場合には、着信を報知するステップとを有することを特徴とする。さらに、本発明では、前記自動着信応答を行う前に所定時間行う着信報知と自動着信応答を行わないと判断された場合の着信報知の報知形態が異なることを特徴とする。応答メッセージを発呼相手先に送出するステップと、前記発呼相手先からの伝言メッセージを録音するステップとを有することが好ましい。
【００１５】
【発明の実施の形態】
次に、本発明の通信装置の一実施の形態について、図面を参照して説明する。図１は、本実施の形態に係る通信装置、好ましくは携帯電話機の好適な一例の内部構成を示す機能ブロック図である。
【００１６】
図１において、無線部２は、図示せぬ基地局からアンテナ１にて受信した無線信号を復調する。信号処理部３は、無線部２にて復調された信号を受信制御信号と音声信号とに分離し、受信制御信号をＣＰＵ４に出力する一方、音声信号を受話部５に出力する。また、信号処理部３は、送話器６からの音声信号を送信信号として処理し、無線部２に出力する。報知部７は、着信時に着信報知を行うもので、スピーカ、ＬＥＤおよびバイブレータのうち少なくとも一つであることが好ましい。表示部８は、時刻情報、相手先電話番号および通信圏外であるか否かに係る情報等を表示するものであり、ＬＣＤもしくはＣＲＴが好ましい。操作部９は、自動着信応答機能等の各種機能における設定時、発呼および着呼時に使用者によって押下されるもので、テンキーを含む。音声メモリ部１０は、発信者に送出される自動応答用メッセージ、発信者からの伝言メッセージの音声データを格納する。ＲＯＭ１１は、自機全体の制御プログラムデータを格納する。
【００１７】
本発明では、さらにＲＡＭ１２と、電話番号比較部１３とを有する。ＲＡＭ１２は、相手先名前と、相手先電話番号と、自動応答するか否かを示す情報とをそれぞれ対応させて記憶する。電話番号比較部１３は、無線信号に含まれる電話番号と、ＲＡＭ１２に記憶された電話番号とを比較し、比較結果をＣＰＵ４に出力する。
【００１８】
ＣＰＵ４は、特に信号処理部３から出力された受信制御信号から相手先電話番号を抽出して電話番号比較部１３に出力する。また、ＣＰＵ４は、電話番号比較部１３から、無線信号に含まれる電話番号と、ＲＡＭ１２に記憶された電話番号とが一致した旨を示す比較結果を入力した場合に、その電話番号と対になってＲＡＭ１２に記憶されている自動応答するか否かを示す情報に基づいて、自動着信応答を行う。
【００１９】
図２は、図１に示されたＲＡＭ１２の好適な一例の内部テーブルを示す図である。
【００２０】
図２において、相手先名前と、相手先電話番号とがそれぞれ対応して複数格納されており、複数の相手先名前および相手先電話番号は、複数個のインデックスによってグループ分けされている。また、フラグは、各インデックス毎に定められており、「０」が着信時に着信報知を行うこと、「１」が着信時に自動着信応答を行うことを示している。すなわち、インデックス「プライベート」および「クラブ」に属する相手先名前および相手先電話番号に対しては、着信時に着信報知を行う一方、インデックス「会社」に属する相手先名前および相手先電話番号に対しては、着信時に自動着信応答を行う。
【００２１】
図３は、図２に示されたフラグを設定する方法を説明するための好適な一例の表示部８の表示例である。
【００２２】
使用者が図２に示されたインデックス毎に自動着信応答を行うか否かの設定を行う場合には、使用者が操作部９を操作することによって、ＲＡＭ１２に格納されたインデックス一覧が、図３に示されるように、表示部８に表示される。このとき、表示部８に表示された複数のインデックス名には、それぞれチェック入力部２１が設けられており、使用者が操作部９を操作して所望のインデックスを選択し、さらに操作部９を操作することによって、選択したインデックスのチェック入力部２１を「□」から「■」へ、もしくは「■」から「□」に変更することができる。チェック入力部２１の「□」は、図２に示されたフラグ「０」、すなわち着信時に着信応答を行うことを示しており、チェック入力部２１の「■」は、図２に示されたフラグ「１」、すなわち着信時に自動着信応答を行うことを示している。使用者が操作部９を操作してチェック入力部２１を変更すると、それに伴って図２に示されるフラグもまた変更される。チェック入力部２１の初期値は、全て「□」である。
【００２３】
図４は、図１に示された携帯電話機の着信時における好適な一例の動作を示すフローチャートである。
【００２４】
図４において、電源がＯＮされると（Ｓ４０１でＹＥＳ）、受信待ち受け状態に移行する（Ｓ４０２）。受信待ち受け状態において、着信があるか否かが判断され（Ｓ４０３）、着信があると（Ｓ４０３でＹＥＳ）、信号処理部３にて分離された受信制御信号内に相手先電話番号が含まれているか否かが判断される（Ｓ４０４）。無線信号内に相手先電話番号が含まれていると判断された場合には（Ｓ４０４でＹＥＳ）、ＲＡＭ１２に格納された複数の電話番号を検索し（Ｓ４０５）、無線信号に含まれた電話番号と一致する電話番号がＲＡＭ１２に格納されているか否かの判断を行う（Ｓ４０６）。無線信号に含まれた電話番号と一致する電話番号がＲＡＭ１２に格納されている場合には（Ｓ４０６でＹＥＳ）、その電話番号の属するインデックスと対になってＲＡＭ１２に格納されているフラグが「０」であるか否かの判断を行う（Ｓ４０７）。ここで、対応するフラグが「０」ではない場合、すなわち「１」である場合には（Ｓ４０７でＮＯ）、発呼相手先に対して音声メモリ部１０に格納された予め使用者が作成した応答メッセージを送出し（Ｓ４０８）、その後、応答メッセージに対して発呼相手先が伝言メッセージを音声入力した場合には、発呼相手先が音声入力した伝言メッセージを録音し、音声メモリ部１０に格納する（Ｓ４０９）。
【００２５】
一方、ステップ４０４の処理において、無線信号内に相手先電話番号が含まれていないと判断された場合、ステップ４０６の処理において、無線信号に含まれた電話番号と一致する電話番号がＲＡＭ１２に存在しないと判断された場合およびステップ４０７の処理において、受信した相手先電話番号の属するインデックスに対応するフラグが「０」ではある場合には、報知部７により着信報知が行われる（Ｓ４１０）。
【００２６】
ステップ４０８の処理において発呼相手先に対して送出される応答メッセージは、例えば使用者が操作部９を操作した後、送話部６に対して音声を入力することによって、入力された音声データが音声メモリ部１０に格納される。また、ステップ４０９の処理において録音された伝言メッセージは、使用者が操作部９を操作することによって受話部５から出力されることが好ましい。
【００２７】
図４に示される着信時の動作においては、受信した無線信号に含まれる電話番号が特定のインデックスに含まれる電話番号と一致した場合に、自動的に自動着信応答が行われ、応答メッセージが発呼相手先に送出される。しかしながら、受信した無線信号に含まれる電話番号が特定のインデックスに含まれる電話番号と一致した場合でも、自動着信応答が行われる前に予め定められた時間だけ着信報知を行うようにしてもよい。このようにすれば、自動着信応答を行うべき発呼相手先からの着信に対しても、使用者が着信報知に対して所定の操作を行うことによって通話モードに移行することができる。
【００２８】
図５は、図１に示された携帯電話機の着信時における他の好適な一例の動作を示すフローチャートである。
【００２９】
図５において、ステップ６０１乃至６０７の処理は、図４に示されるステップ４０１乃至４０７の処理と同一であり、冗長を避けるため、ここではその説明を省略する。
【００３０】
ステップ６０７の処理において、受信した無線信号に含まれる電話番号の属するインデックスと対になってＲＡＭ１２に格納されているフラグが「０」ではない場合、すなわち「１」であると判断された場合には、報知部７において着信報知が開始される（Ｓ６０８）。着信報知に対して、使用者が通話を行いたいと判断した場合には、操作部９に含まれるフックボタンを押下することによって（Ｓ６０９でＹＥＳ）通話モードに移行される（Ｓ６１６）。一方、着信報知に対して、フックボタンが押下されない場合には（Ｓ６０９でＮＯ）、出力されたコール数が所定回数Ｎ、例えば３に達したか否かが判断される（Ｓ６１０）。コール数が所定回数Ｎに達していない場合には（Ｓ６１０でＮＯ）、使用者によってフックボタンが押下されるまで、もしくはコール数が所定回数Ｎに達するまで着信報知が行われる。コール数が所定回数Ｎに達した場合には（Ｓ６１０でＹＥＳ）、自動着信応答が行われる。すなわち、応答メッセージが発呼相手先に送出され（Ｓ６１１）、発呼相手先からの伝言メッセージが録音される（Ｓ６１２）。ステップ６１１および６１２の処理は、図４に示されるステップ４０８および４０９の処理と同一であり、冗長を避けるため、ここではその詳細な説明は省略する。
【００３１】
ステップ６１０の処理において、出力されたコール数と比較される所定回数Ｎは、１以上の整数であり、使用者が操作部９を操作することによって任意の値に変更することができる。
【００３２】
一方、ステップ６０７の処理において、受信した無線信号に含まれる電話番号の属するインデックスと対になってＲＡＭ１２に格納されているフラグが「０」であると判断された場合には、報知部７により着信報知が行われる（Ｓ６１３）。着信報知に対して、使用者が通話を行いたいと判断した場合には、操作部９に含まれるフックボタンを押下することによって（Ｓ６１４でＹＥＳ）通話モードに移行される（Ｓ６１６）。一方、着信報知に対して、フックボタンが押下されない場合には（Ｓ６１４でＮＯ）、発呼相手先によって回線が切断されたか否かが判断される（Ｓ６１５）。発呼相手先によって回線が切断されない場合には（Ｓ６１５でＮＯ）、使用者によってフックボタンが押下されるまで着信報知が続けられる。
【００３３】
ステップ６０８の処理における着信報知と、ステップ６１３の処理における着信報知とは、報知手段もしくは報知形態等をそれぞれ異なるものとし、使用者がそれぞれを区別可能とすることが好ましい。例えば、ステップ６０８の処理では鳴音による報知を行い、ステップ６１３の処理ではバイブレータによる報知を行う。また、ステップ６０８の処理では報知音「ピピピッピピピッ」を出力し、ステップ６１３の処理では報知音「ピッピッピッ」を出力してもよい。
【００３４】
本実施例では、図２に示されるように、インデックス毎に自動着信応答を行うか否かを示すフラグを設けているが、図６に示されるように、名前および電話番号毎に自動着信応答を行うか否かを示すフラグを設けてもよい。この場合、使用者がフラグを設定する際には、図３に示される表示画面の代わりに、例えば図７に示されるようなＲＡＭ１２に格納された名前および電話番号の一覧が表示部８に表示される。
【００３５】
図７において、チェック入力部３１の入力方法は、図３において説明したものと同一であり、冗長を避けるため、ここではその説明を省略する。
【００３６】
本実施例では、発呼相手先に送出される応答メッセージおよび発呼相手先から音声入力された伝言メッセージを、図１に示される携帯電話機内の音声メモリ部１０に格納していたが、応答メッセージおよび伝言メッセージを基地局内のメモリに格納することにより、携帯電話機自体の小型化および軽量化を達成することができる。また、実装面積の制約がなくなるため、大容量メモリが使用することができ、多数の相手先に係る情報、すなわち相手先名前と相手先電話番号とを格納することが可能となる。
【００３７】
図８は、本発明の他の実施の形態に係る通信装置、好ましくは携帯電話機の好適な一例の内部構成を示す機能ブロック図である。
【００３８】
図８において、図１に示された携帯電話機と同一の構成要素については同一の参照番号が付されており、冗長を避けるため、ここではその説明を省略する。本実施例では、図１に示されたＣＰＵ４の代わりにＣＰＵ４１を設け、図１に示された音声メモリ部１０を削除した構成としている。
【００３９】
ＣＰＵ４１は、電話番号比較部１３から、無線信号に含まれる電話番号と、ＲＡＭ１２に記憶された電話番号とが一致した旨を示す比較結果を入力した場合に、その電話番号と対になってＲＡＭ１２に記憶されている自動応答するか否かを示す情報に基づいて、自動応答信号を基地局に対して送出する。
【００４０】
図９は、本発明の他の実施の形態に係る基地局の好適な一例の内部構成を示す機能ブロック図である。
【００４１】
図９において、図示されていない他の構成要素は勿論存在するが、それらは本発明とは直接係わりがないため、ここでは図示を省略し、本発明と直接係わりのある構成要素のみを図示した。
【００４２】
送受信部５２は、携帯電話機からアンテナ５１を介して無線信号を受信する一方、無線信号をアンテナ５１を介して携帯電話機に送信する。自動応答信号検出部５３は、送受信部５２にて受信した無線信号が自動応答信号であるか否かを判断する。応答メッセージ再生部５５は、発呼相手先に送出される応答メッセージを格納する。伝言メッセージ録音部５６は、送出された応答メッセージに対して発呼相手先が入力した音声を録音して格納する。
【００４３】
制御部５４は、自動応答信号検出部５３によって自動応答信号が検出された場合に、応答メッセージ再生部５５に格納された応答メッセージを発呼相手先に送出する。
【００４４】
次に、図１０および１１を用いて、図８に示された携帯電話機および図９に示された基地局の好適な一例の動作を簡単に説明する。図１０は、携帯電話機および基地局間の関係を説明するための図であり、図１１は、図１０に示された各携帯電話機および各基地局間における動作シーケンスを示す図である。
【００４５】
図１０において、基地局Ａ６２が構成するサービスエリアに携帯電話機ａ６１が存在し、基地局Ｂ６３が構成するサービスエリアに携帯電話機ｂ６４が存在するものとする。
【００４６】
なお、本発明では、基地局Ａ６２および基地局Ｂ６３は、それぞれ交換局と図示せぬ制御線で接続されている。
【００４７】
図１１において、携帯電話機ａ６１が、携帯電話機ｂ６４に対して発呼を行うと、携帯電話機ａ６１からの発呼信号は、基地局Ａ６２、交換局および基地局Ｂ６３を介して、携帯電話機ｂ６４に送出される。
【００４８】
携帯電話機ｂ６４は、基地局Ｂ６３から発呼信号を受信すると、発呼信号に含まれる携帯電話機ａ６１の電話番号を抽出し、抽出された電話番号と、予めＲＡＭ１２に格納された電話番号とを比較する。両者が一致した場合には、一致する電話番号と対になってＲＡＭ１２に格納されているフラグを参照し、そのフラグが「１」である場合、すなわち一致する相手先電話番号に対して自動着信応答を行う場合には、自動応答信号を基地局Ｂ６３に送出する。
【００４９】
基地局Ｂ６３は、携帯電話機ｂ６４から自動応答信号を受信すると、応答メッセージ再生部５５に格納された応答メッセージを、基地局Ａ６２を介して発呼先である携帯電話機ａ６１に送出する。
【００５０】
携帯電話機ａ６１は、基地局Ａ６２から応答メッセージを受信すると、応答メッセージを音声で出力もしくは表示部に表示する。発呼相手先は、応答メッセージを認識すると、携帯電話機ｂ６４に対するメッセージを入力する。入力されたメッセージは、伝言メッセージとして基地局Ａ６２を介して基地局Ｂ６３に送出される。
【００５１】
基地局Ｂ６３は、基地局Ａ６２を介して携帯電話機ａ６１から受信した伝言メッセージを伝言メッセージ録音部５６に格納する。その後、基地局Ｂ６３は、携帯電話機ｂ６４からの問い合わせに対して、伝言メッセージ録音部５６にて録音された伝言メッセージを送出することによって、携帯電話機ｂ６４の使用者は携帯電話機ａ６１の使用者からのメッセージを聞き出すことができる。
【００５２】
図１２は、図８に示された携帯電話機もしくは図１０に示された携帯電話機ｂ６４の好適な一例の動作を示すフローチャートである。
【００５３】
図１２において、ステップ１０１乃至１０７および１０９の処理は、図４に示されたステップ４０１乃至４０７および４１０の処理とそれぞれ同一であり、冗長を避けるため、ここではその説明を省略する。
【００５４】
ステップ１０７の処理において、受信した発呼信号に含まれる電話番号の属するインデックスと対になってＲＡＭ１２に格納されているフラグが「０」ではない、すなわち自動着信応答を行う必要があると判断された場合には、基地局Ｂ６３に対して自動応答信号を送出する。
【００５５】
図１３は、図９に示された基地局もしくは図１０に示された基地局Ｂ６３の好適な一例の動作を示すフローチャートである。
【００５６】
図１３において、基地局Ａ６２を介して携帯電話機ａ６１からの発呼信号を受信すると（Ｓ２０１でＹＥＳ）、受信した発呼信号を携帯電話機ｂ６４に送出する（Ｓ２０２）。その後、携帯電話機ｂ６４からの自動応答信号を受信したか否かが判断される（Ｓ２０３）。携帯電話機ｂ６４からの自動応答信号を受信した場合には（Ｓ２０３でＹＥＳ）、応答メッセージ再生部５５に格納された応答メッセージを基地局Ａ６２を介して携帯電話機ａ６１に送出する（Ｓ２０４）。送出した応答メッセージに対して、携帯電話機ａ６１から伝言メッセージを受信したか否かが判断される（Ｓ２０５）。携帯電話機ａ６１から伝言メッセージを受信した場合には（Ｓ２０５でＹＥＳ）、携帯電話機ａ６１からの伝言メッセージを伝言メッセージ録音部５６に格納する（Ｓ２０６）。その後、携帯電話機ｂ６４から伝言メッセージに対する問い合わせがあると、伝言メッセージ録音部５６にて録音された伝言メッセージを携帯電話機ｂ６４に送出する。
【００５７】
本発明の無線通信装置は、上記実施の形態に限定されるものではない。例えば、本実施例では、図２または６に示されるように、ＲＡＭ１２において、自動着信応答を行う相手先電話番号には、フラグ「１」が設けられ、着信時に着信報知を行う相手先電話番号には、フラグ「０」が設けられている。しかしながら、これらフラグの値は、逆であってもよい。すなわち、自動着信応答を行う相手先電話番号には、フラグ「０」が設けられ、着信時に着信報知を行う相手先電話番号には、フラグ「１」が設けられてもよい。この場合、図４におけるＳ４０７、図５におけるＳ６０７および図１２におけるＳ１０７の処理はそれぞれ、無線信号に含まれる電話番号と一致した電話番号に対応するフラグが「１」で有るか否かを判断する処理に変更される。
【００５８】
また、図３および７に示される表示画面では、自動着信応答を行う相手先電話番号の属するインデックスもしくは相手先電話番号のチェック入力部に「■」が設けられ、自動着信応答を行わない相手先電話番号の属するインデックスもしくは相手先電話番号のチェック入力部には「□」が設けられる。しかしながら、これらは逆であっても何ら問題はない。すなわち、自動着信応答を行う相手先電話番号の属するインデックスもしくは相手先電話番号のチェック入力部に「□」を設け、自動着信応答を行わない相手先電話番号の属するインデックスもしくは相手先電話番号のチェック入力部には「■」を設けてもよい。
【００５９】
また、本実施例では、図１に示される音声メモリ部１０に、発呼相手先に送出される応答メッセージおよび発呼相手先からの伝言メッセージの双方を格納しているが、音声メモリ部１０には発呼相手先に送出される応答メッセージのみを格納し、発呼相手先からの伝言メッセージは格納しなくてもよい。このようにすれば、伝言メッセージを送出する動作が省略されるため、携帯電話機の動作制御を簡略化することができるとともに、音声メモリ部１０を有効に利用することが可能となる。この場合、発呼相手先には、伝言メッセージの入力要求は行わないため、電話に出ることができない旨を示す応答メッセージ、例えば「ただいま電話に出ることができません」を送出することが好ましい。
【００６０】
さらに、本発明の通信装置は、携帯電話機を例にして説明したが、着信時に相手先電話番号を受信することができる通信装置全てに適用することができ、例えばpersonal handy-phone system（ＰＨＳ）や、携帯情報端末、一般回線に接続された有線電話機に適用しても何ら問題はない。
【００６１】
【発明の効果】
以上、説明したように本発明の通信装置によれば、発呼相手先をグループ化した各インデックス毎に、もしくは発呼相手先毎に、使用者が予め着信自動応答を行うか否かを設定するため、所望の発呼者からの着信に対しては着信報知を行い、希望しない発呼者からの着信に対しては自動着信応答を行うことが可能となる。
【図面の簡単な説明】
【図１】本実施の形態に係る携帯電話機の好適な一例の内部構成を示す機能ブロック図である。
【図２】図１に示されたＲＡＭ１２の好適な一例の内部テーブルを示す図である。
【図３】図２に示されたフラグを設定する方法を説明するための好適な一例の表示部８の表示例である。
【図４】図１に示された携帯電話機の着信時における好適な一例の動作を示すフローチャートである。
【図５】図１に示された携帯電話機の着信時における他の好適な一例の動作を示すフローチャートである。
【図６】図１に示されたＲＡＭ１２の他の好適な一例の内部テーブルを示す図である。
【図７】図２に示されたフラグを設定する方法を説明するための他の好適な一例の表示部８の表示例である。
【図８】本発明の他の実施の形態に係る携帯電話機の好適な一例の内部構成を示す機能ブロック図である。
【図９】本発明の他の実施の形態に係る基地局の好適な一例の内部構成を示す機能ブロック図である。
【図１０】携帯電話機および基地局間の関係を説明するための図である。
【図１１】図１０に示された各携帯電話機および各基地局間における動作シーケンスを示す図である。
【図１２】図８に示された携帯電話機もしくは図１０に示された携帯電話機ｂ６４の好適な一例の動作を示すフローチャートである。
【図１３】図９に示された基地局もしくは図１０に示された基地局Ｂ６３の好適な一例の動作を示すフローチャートである。
【符号の説明】
１    アンテナ
２    無線部
３    信号処理部
４    ＣＰＵ
５    受話部
６    送話部
７    報知部
８    表示部
９    操作部
１０  音声メモリ部
１１  ＲＯＭ
１２  ＲＡＭ
１３  電話番号比較部
２１  チェック入力部
３１  チェック入力部
４１  ＣＰＵ
５１  アンテナ
５２  送受信部
５３  自動応答信号検出部
５４  制御部
５５  応答メッセージ再生部
５６  伝言メッセージ録音部
６１  携帯電話機ａ
６２  基地局Ａ
６３  基地局Ｂ
６４  携帯電話機ｂ
【図１】
0003698922.tif 000002
【図２】
0003698922.tif 000003
【図３】
0003698922.tif 000004
【図４】
0003698922.tif 000005
【図５】
0003698922.tif 000006
【図６】
0003698922.tif 000007
【図７】
0003698922.tif 000008
【図８】
0003698922.tif 000009
【図９】
0003698922.tif 000010
【図１０】
0003698922.tif 000011
【図１１】
0003698922.tif 000012
【図１２】
0003698922.tif 000013
【図１３】
0003698922.tif 000014